(57)【要約】【課題】微生物を用い、排水処理効率をより高めることのできる排水処理システムを実現する。【解決手段】水質環境を示す指標値を水質監視装置４１及び５１で計測し、この計測される指標値に基づいて制御装置３４が制御テーブルを参照し、投入すべき微生物の種類や投入量を決定する。この決定内容に応じてポンプ３３を制御し、バイオ液タンク３５内の微生物を接触酸化槽３に投入する。また、制御装置によって曝気ブロア３２を制御する。【効果】微生物を適切に投入することができ、排水浄化効率を高めることができる。【選択図】　　　　図１
2004082041.tif 000002
【特許請求の範囲】
【請求項１】
水質環境を示す指標値を計測する計測手段と、前記計測手段により計測される指標値に基づいて制御テーブルを参照し、投入すべき微生物について少なくとも投入量を決定する投入微生物決定手段とを含み、前記投入微生物決定手段による決定内容に応じて微生物を投入することを特徴とする排水処理システム。
【請求項２】
前記微生物を投入した水槽について曝気処理を行う曝気手段を更に含むことを特徴とする請求項１記載の排水処理システム。
【請求項３】
前記制御テーブルは、初期状態用テーブルと、定常状態用テーブルと、からなり、前記投入微生物決定手段はシステム導入初期において前記初期状態用テーブルを参照することを特徴とする請求項１又は２記載の排水処理システム。
【請求項４】
前記計測手段により計測される指標値が、システム導入直後に上昇した場合には、前記システム導入初期であると判断するようにしたことを特徴とする請求項３記載の排水処理システム。
【請求項５】
前記計測手段により計測される指標値が、システム導入直後に上昇しない場合には、前記投入微生物決定手段は前記定常状態用テーブルを参照することを特徴とする請求項３記載の排水処理システム。
【請求項６】
水質環境を示す指標値を計測する計測ステップと、前記計測ステップにおいて計測される指標値に基づいて制御テーブルを参照し、投入すべき微生物について少なくとも投入量を決定する投入微生物決定ステップとを含み、前記投入微生物決定ステップにおける決定内容に応じて微生物を投入することを特徴とする排水処理方法。
【請求項７】
前記微生物を投入した水槽について曝気処理を行う曝気ステップを更に含むことを特徴とする請求項６記載の排水処理方法。
【請求項８】
前記制御テーブルは、初期状態用テーブルと、定常状態用テーブルと、からなり、前記投入微生物決定ステップにおいてはシステム導入初期において前記初期状態用テーブルを参照することを特徴とする請求項６又は７記載の排水処理方法。
【請求項９】
前記計測ステップにおいて計測される指標値がシステム導入直後に上昇した場合には、前記投入微生物決定ステップにおいてはシステム導入初期であると判断して前記初期状態用テーブルを参照するようにしたことを特徴とする請求項８記載の排水処理方法。
【請求項１０】
前記計測ステップにおいて計測される指標値がシステム導入直後に上昇しない場合には、前記投入微生物決定ステップにおいては前記定常状態用テーブルを参照することを特徴とする請求項８記載の排水処理方法。
【請求項１１】
コンピュータを制御して排水処理を行うための排水処理制御プログラムであって、水質環境を示す指標値を計測する計測ステップと、前記計測ステップにおいて計測される指標値に基づいて制御テーブルを参照し、投入すべき微生物について少なくとも投入量を決定する投入微生物決定ステップとを含み、前記投入微生物決定ステップにおける決定内容に応じて微生物を投入するようにしたことを特徴とする排水処理制御プログラム。
【請求項１２】
前記微生物を投入した水槽について曝気処理を行う曝気ステップを更に含むことを特徴とする請求項１１記載の排水処理制御プログラム。
【請求項１３】
前記制御テーブルは、初期状態用テーブルと、定常状態用テーブルと、からなり、前記投入微生物決定ステップにおいてはシステム導入初期において前記初期状態用テーブルを参照することを特徴とする請求項１１又は１２記載の排水処理制御プログラム。
【請求項１４】
前記計測ステップにおいて計測される指標値がシステム導入直後に上昇した場合には、前記投入微生物決定ステップにおいてはシステム導入初期であると判断して前記初期状態用テーブルを参照するようにしたことを特徴とする請求項１３記載の排水処理制御プログラム。
【請求項１５】
前記計測ステップにおいて計測される指標値がシステム導入直後に上昇しない場合には、前記投入微生物決定ステップにおいては前記定常状態用テーブルを参照することを特徴とする請求項１３記載の排水処理制御プログラム。
【発明の詳細な説明】
【０００１】
【発明の属する技術分野】
本発明は排水処理システム、排水処理方法、排水処理用プログラムに関し、特に各種工場、個人住宅や集合住宅、ホテル、レストラン、公共施設等の厨房、浴槽、洗濯機等の排水源からの排水を浄化するための排水処理システム、排水処理方法、排水処理用プログラムに関する。
【０００２】
【従来の技術】
従来の排水処理システムの一般的な構成例が図５に示されている。同図に示されている排水処理システムは、複数の水槽を用いて排水の浄化を行う。本例の排水処理システムは、排水源から排出される排水が蓄えられる原水槽１と、沈殿分離を行うための沈殿分離槽２と、接触濾材によって排水に含まれる有機物の生物分解を行うための接触酸化槽３と、接触酸化槽３によって分解処理された水が蓄えられる中間槽４と、上記各槽によって処理された水を蓄え、図示せぬ下水管等に放流するための放流槽５とを含んで構成されている。なお、中間槽４と放流槽５との間に、活性炭を用いて濾過処理する活性炭槽が設けられることもある。
【０００３】
接触酸化槽３内には、接触濾材３１が設けられている。そして、曝気ブロア３２による曝気を接触酸化槽３内に施す。こうすることにより、接触濾材３１による濾過処理効率を高めることができる。
沈殿分離槽２及び接触酸化槽３は複数組設ける場合もある。その場合にはそれら両槽による処理を複数回繰返した後、中間槽による処理に移行することになる。
【０００４】
上述した排水処理システムでは、処理対象の排水を同図中の矢印に示されているように、原水槽１から放流槽５まで順次送ることにより、その排水を浄化することができる。
ところで、上述した従来の排水処理システムにおいて、排水処理効率をより高めるためには、微生物を含むバイオ液を投入して排水処理効率を高める手法が考えられる。この場合、排水浄化効率を有する微生物を投入する必要がある。例えば、Ｗｅｂサイト
＜ＵＲＬ：ｈｔｔｐ：／／ｗｗｗ．ｂｉｏｆｕｔｕｒｅｊａｐａｎ．ｃｏｍ／ｐｒｏｄｕｃｔ／ｐｒｏｄｕｃｔ２．ｈｔｍｌ＞
に記載されているように、適切な微生物を投入することによって、排水処理効率を高めることができると考えられる。
【０００５】
【発明が解決しようとする課題】
しかしながら、どのような微生物をどのように投入するかについて適切に判断することは難しい。投入すべき微生物の種類やその投入量は作業者の経験に基づくことが多く、よって排水処理効率を高めることは容易ではない。
本発明の目的は微生物を用い、排水処理効率をより高めることのできる排水処理システム、排水処理方法、排水処理用プログラムを提供することである。
【０００６】
【課題を解決するための手段】
本発明の請求項１による排水処理システムは、水質環境を示す指標値を計測する計測手段と、前記計測手段により計測される指標値に基づいて制御テーブルを参照し、投入すべき微生物について少なくとも投入量を決定する投入微生物決定手段とを含み、前記投入微生物決定手段による決定内容に応じて微生物を投入することを特徴とする。水質環境を示す指標値を計測し、計測される指標値に基づいて制御テーブルを参照し、投入すべき微生物について少なくとも投入量を決定し、この決定内容に応じて微生物を投入することにより、微生物を適切に投入することができ、排水浄化効率を高めることができる。
【０００７】
本発明の請求項２による排水処理システムは、請求項１において、前記微生物を投入した水槽について曝気処理を行う曝気手段を更に含むことを特徴とする。曝気処理を行うことにより、浄化効率をより高めることができる。
本発明の請求項３による排水処理システムは、請求項１又は２において、前記制御テーブルは、初期状態用テーブルと、定常状態用テーブルと、からなり、前記投入微生物決定手段はシステム導入初期において前記初期状態用テーブルを参照することを特徴とする。複数種類の制御用テーブルを用意しておき、それらを使い分けることで、排水処理効率をより高めることができる。
【０００８】
本発明の請求項４による排水処理システムは、請求項３において、前記計測手段により計測される指標値が、システム導入直後に上昇した場合には、前記システム導入初期であると判断するようにしたことを特徴とする。指標値の変化に応じて適切なテーブルを用いることで、排水処理効率を適切に高めることができる。
【０００９】
本発明の請求項５による排水処理システムは、請求項３において、前記計測手段により計測される指標値が、システム導入直後に上昇しない場合には、前記投入微生物決定手段は前記定常状態用テーブルを参照することを特徴とする。指標値の変化に応じて適切なテーブルを用いることで、排水処理効率を適切に高めることができる。
【００１０】
本発明の請求項６による排水処理方法は、水質環境を示す指標値を計測する計測ステップと、前記計測ステップにおいて計測される指標値に基づいて制御テーブルを参照し、投入すべき微生物について少なくとも投入量を決定する投入微生物決定ステップとを含み、前記投入微生物決定ステップにおける決定内容に応じて微生物を投入することを特徴とする。計測される指標値に基づいて制御テーブルを参照し、投入すべき微生物について少なくとも投入量を決定し、この決定内容に応じて微生物を投入することにより、微生物を適切に投入することができ、排水浄化効率を高めることができる。
【００１１】
本発明の請求項７による排水処理方法は、請求項６において、前記微生物を投入した水槽について曝気処理を行う曝気ステップを更に含むことを特徴とする。曝気処理を行うことにより、浄化効率をより高めることができる。
本発明の請求項８による排水処理方法は、請求項６又は７において、前記制御テーブルは、初期状態用テーブルと、定常状態用テーブルと、からなり、前記投入微生物決定ステップにおいてはシステム導入初期において前記初期状態用テーブルを参照することを特徴とする。複数種類の制御用テーブルを用意しておき、それらを使い分けることで、排水処理効率をより高めることができる。
【００１２】
本発明の請求項９による排水処理方法は、請求項８において、前記計測ステップにおいて計測される指標値がシステム導入直後に上昇した場合には、前記投入微生物決定ステップにおいてはシステム導入初期であると判断して前記初期状態用テーブルを参照するようにしたことを特徴とする。指標値の変化に応じて適切なテーブルを用いることで、排水処理効率を適切に高めることができる。
【００１３】
本発明の請求項１０による排水処理方法は、請求項８において、前記計測ステップにおいて計測される指標値がシステム導入直後に上昇しない場合には、前記投入微生物決定ステップにおいては前記定常状態用テーブルを参照することを特徴とする。指標値の変化に応じて適切なテーブルを用いることで、排水処理効率を適切に高めることができる。
【００１４】
本発明の請求項１１による排水処理用プログラムは、コンピュータを制御して排水処理を行うための排水処理制御プログラムであって、水質環境を示す指標値を計測する計測ステップと、前記計測ステップにおいて計測される指標値に基づいて制御テーブルを参照し、投入すべき微生物について少なくとも投入量を決定する投入微生物決定ステップとを含み、前記投入微生物決定ステップにおける決定内容に応じて微生物を投入するようにしたことを特徴とする。水質環境を示す指標値を計測し、計測される指標値に基づいて制御テーブルを参照し、投入すべき微生物について少なくとも投入量を決定し、この決定内容に応じて微生物を投入するようにコンピュータを制御することにより、微生物を適切に投入することができ、排水浄化効率を高めることができる。
【００１５】
本発明の請求項１２による排水処理用プログラムは、請求項１１において、前記微生物を投入した水槽について曝気処理を行う曝気ステップを更に含むことを特徴とする。曝気処理を行うことにより、浄化効率をより高めることができる。本発明の請求項１３による排水処理用プログラムは、請求項１１又は１２において、前記制御テーブルは、初期状態用テーブルと、定常状態用テーブルと、からなり、前記投入微生物決定ステップにおいてはシステム導入初期において前記初期状態用テーブルを参照することを特徴とする。複数種類の制御用テーブルを用意しておき、それらをコンピュータが使い分けることで、排水処理効率をより高めることができる。
【００１６】
本発明の請求項１４による排水処理用プログラムは、請求項１３において、前記計測ステップにおいて計測される指標値がシステム導入直後に上昇した場合には、前記投入微生物決定ステップにおいてはシステム導入初期であると判断して前記初期状態用テーブルを参照するようにしたことを特徴とする。指標値の変化に応じてコンピュータが適切なテーブルを用いることで、排水処理効率を適切に高めることができる。
【００１７】
本発明の請求項１５による排水処理用プログラムは、請求項１３において、前記計測ステップにおいて計測される指標値がシステム導入直後に上昇しない場合には、前記投入微生物決定ステップにおいては前記定常状態用テーブルを参照することを特徴とする。指標値の変化に応じてコンピュータが適切なテーブルを用いることで、排水処理効率を適切に高めることができる。
【００１８】
【発明の実施の形態】
次に、図面を参照して本発明の実施の形態について説明する。なお、以下の説明において参照する各図においては、他の図と同等部分に同一符号が付されている。
（システム構成）
図１は本発明による排水処理システムの実施の一形態を示す概略構成図である。同図には、従来の排水処理システム（図５）の接触酸化槽、中間槽及び放流槽の部分を改良したシステムが示されている。
【００１９】
同図に示されているように、本実施形態による排水処理システムは、接触酸化槽３内に投入して分解能力を高めるためのバイオ液を蓄えたバイオ液タンク３５と、このバイオ液タンク３５内のバイオ液を接触酸化槽３に投入するためのポンプ３３と、このポンプ３３を制御するための制御装置３４とを含んで構成されている。制御装置３４には、周知のパーソナルコンピュータを用いることができる。
【００２０】
制御装置３４は、曝気ブロア３２を制御し、接触酸化槽３内に曝気を施す。つまり、微生物を投入した接触酸化槽３内に曝気を施すことになる。この曝気を施すことにより、排水浄化効率を高めることができる。
また、本例のシステムでは、中間槽４の水質を水質監視装置４１、放流槽５の水質を水質監視装置５１、によってそれぞれ監視する。水質監視装置４１及び５１による測定値は、制御装置３４に送られる。本例においては、ＢＯＤ（Ｂｉｏｃｈｅｍｉｃａｌ　Ｏｘｙｇｅｎ　Ｄｅｍａｎｄ）、ＣＯＤ（ＣｈｅｍｉｃａｌＯｘｙｇｅｎ　Ｄｅｍａｎｄ）、ＳＳ（Ｓｕｓｐｅｎｄｅｄ　Ｓｏｌｉｄ）、ノルマルヘキサン抽出物（鉱油類、動植物油）含有量（以下、ノルヘキと略称する）を監視の対象とする。つまり、本システムでは、ＢＯＤ、ＣＯＤ、ＳＳ、及び、ノルヘキが、水質環境を示す指標値となる。
【００２１】
制御装置３４は、水質監視装置４１及び５１の測定値について、統計的品質管理を行う。そして、管理限界値を越えた場合には、曝気ブロア３２を動作させると共に、ポンプ３３を動作させてバイオ液タンク３５内のバイオ液を接触酸化槽３に投入する。こうすることにより、接触酸化槽３における分解処理能力を高める。投入するバイオ液は、ＢＯＤ対策用のバイオ液、ＣＯＤ対策用のバイオ液、ＳＳ対策用のバイオ液、ノルヘキ対策用のバイオ液、の単品、又はそれらを組み合わせたものとする。ＢＯＤ対策用、ＣＯＤ対策用、ＳＳ対策用、ノルヘキ対策用の各バイオ液のタンクを用意し、そのタンクそれぞれに対応してポンプを設けても良い。
【００２２】
制御装置３４は、後述する制御用テーブル３６を用いて、曝気ブロア３２及びポンプ３３を制御する。つまり、この制御用テーブル３６の内容に基づいて曝気量及び微生物投入量が制御されることになる。ＢＯＤ対策用、ＣＯＤ対策用、ＳＳ対策用、ノルヘキ対策用の各バイオ液のタンクと、それらタンクそれぞれに対応するポンプとを設けた場合には、制御用テーブル３６の内容に基づいて曝気量、微生物の種類及びその投入量が制御されることになる。要するに制御装置３４は、投入すべき微生物について、少なくともその投入量を制御していることになる。
（排水処理動作）
次に、図２を参照して本システムの排水処理動作について説明する。同図において、まず水質環境を計測する（ステップＳ２０１）。この場合、上述したＢＯＤ、ＣＯＤ等の指標値を測定することで水質環境を計測する。
【００２３】
ここで、管理限界値は、標準偏差を基準にして定める。すなわち、
平均値Ｘ−＝ΣＸｉ／ｎ（Σは、ｉ＝１〜ｎまでの総和、以下同様）
標準偏差σ＝｛Σ（Ｘｉ−Ｘ−）２／（ｎ−１）｝１／２
である。そして、本例では、標準偏差の値が平均値Ｘ−を中心とする＋３σから−３σまでの間であれば管理限界内の値とし、それ以外の値であれば管理限界外の値とする。この管理限界値は、任意に定めれば良い。
【００２４】
測定した指標値による水質環境が管理限界値を越えなければ、計測を継続して行い（ステップＳ２０２→Ｓ２０１）、水質環境が管理限界内であるか判断される（ステップＳ２０１→Ｓ２０２…）。
一方、水質環境が管理限界値を越えた場合、以下の処置を行う。まず、曝気量を増やす（ステップＳ２０２→Ｓ２０３）。曝気量を増やした結果、管理限界値を越えなくなった場合すなわち管理基準に適合するようになった場合、放流基準に達しているか判断する（ステップＳ２０４）。この判断の結果、放流基準に達していれば、放流する（ステップＳ２０４→Ｓ２０６→Ｓ２０７）。
【００２５】
これに対し、管理基準に達していない場合は、バイオ液（微生物）を投入する（ステップＳ２０４→Ｓ２０５）。投入した結果、放流基準に達していれば、放流する（ステップＳ２０５→Ｓ２０６→Ｓ２０７）。なお、ステップＳ２０５において、放流基準に達していない場合は、再度バイオ液を投入し、上記の処理を繰返し行う（ステップＳ２０６→Ｓ２０５）。
（制御に用いるテーブル）
本システムでは、曝気量と微生物投入量との関係を示す（さらにＰＨ値を関係させてもよい）テーブルを２種類用意する。このテーブルは、図３に示されているように、システム導入開始直後の初期状態用テーブル（同図（ａ））及び定常状態用テーブル（同図（ｂ））である。いずれのテーブルも曝気量（ｍ３／ｍｉｎ）とバイオ液投入量（ｍｇ／Ｌ）との関係を示すものである。これらテーブルの内容を参照することによって、制御装置が曝気量及びバイオ液投入量についての制御を行う。
【００２６】
本システムを導入すると、バイオ液中の微生物の作用によって計測値は徐々に低下する。その後、計測値が上昇すると、制御装置がテーブルを参照して適切な曝気量及びバイオ液量を投入するので、計測値の上昇が抑えられる。
ただし、本システム導入開始直後においては、計測値が急激に上昇することがある。これは、槽内面に付着している物質が分解されて浮遊するため、及び塊になっている物質が分解されて浮遊するためである。よって、このような場合に定常状態用テーブルを用いると、計測値が低下するように適切に制御できない。そこで、本システムでは、導入開始直後に計測値が上昇した場合、制御装置において導入初期状態であると判断し、初期状態用テーブルを用いる。
【００２７】
なお、上述したテーブルは、曝気量と微生物投入量との関係を示すものであるが、さらにＰＨ値を関係させたテーブルを用いても良い。
（システム適用例）
発明者が本システムを適用した結果の一例が図４に示されている。同図には、仕出し料理工場の厨房排水を浄化する場合に関するデータが示されている。同工場の所在地は、埼玉県大宮市内（現さいたま市内）である。排水は、放流槽である油水分離槽から同市の下水管へ放流される。ここでは、ＢＯＤ、ＣＯＤ、ＳＳ、ノルヘキの数値を下げることを目的としている。従来、排水は、油水分離槽から下水管へそのまま放流されていたが、これを改善し、本システムで処理した後に放流することにした。
【００２８】
本例では、タイマーポンプによって１日１２回、１回当たり１１０［ＣＣ］、２週間に１８リットル（Ｌ）のバイオ液を点滴投入する。投入開始は、１９９５年７月５日である。
同図（ａ）には、ＢＯＤ、ＣＯＤ、ＳＳ、ノルヘキの推移が示されている。なお、同図中の各数値の単位は［ｍｇ／Ｌ］である。同図を参照すると、ＢＯＤ、ＣＯＤ、ＳＳ、ノルヘキの各数値は、以下のように変化した。
【００２９】
ＢＯＤについては、本システムによる処理前の１９９５年６月２１日において１０９０．０であった。上述したようにバイオ液を投入した結果、同年７月５日において１６２０．０、同年７月１９日において１０４０．０、同年８月３日において６５３．０、同年８月２５日において２２４．０、になった。
ＣＯＤについては、本システムによる処理前の１９９５年６月２１日において４１６．０であった。上述したようにバイオ液を投入した結果、同年７月５日において８８９．０、同年７月１９日において７５０．０、同年８月３日において１３９．０、同年８月２５日において６３．４、である。
【００３０】
ＳＳについては、本システムによる処理前の１９９５年６月２１日において５４５．０であった。上述したようにバイオ液を投入した結果、同年７月５日において８６４．０、同年７月１９日において９１５．０、同年８月３日において２５８．０、同年８月２５日において１３７．０、である。
ノルヘキについては、本システムによる処理前の１９９５年６月２１日において１７０．０であった。上述したようにバイオ液を投入した結果、同年７月５日において１８０．０、同年７月１９日において１４０．０、同年８月３日において３５．０、同年８月２５日において４９．０、である。
【００３１】
以上の計測値を折れ線グラフに表したものが同図（ｂ）である。同図を参照すると、ＢＯＤ、ＣＯＤ、ＳＳ、ノルヘキのうち、ＢＯＤ、ＣＯＤ及びノルヘキについては、本システムを導入した同年７月５日以降、計測値が低下し続けた。これに対し、ＳＳについては、本システムを導入した同年７月５日の後、同年７月１９日までに計測値が一旦上昇した。これは、上述したように、槽内面に付着している物質や塊になっている物質が分解されて浮遊したためと考えられる。その後、ＳＳの計測値は低下し続けた。
【００３２】
したがって、このように計測値が一旦上昇する場合には、上述した初期状態用テーブルを用いてＳＳの制御を行う必要がある。一方、計測値が低下し続けるＢＯＤ、ＣＯＤ、ノルヘキについては、定常状態用テーブルを用いれば良い。
以上のように２種類の制御用テーブルを用意しておき、それらを使い分けることで、排水処理効率を高めることができる。また、指標値の変化に応じて適切なテーブルを用いることで、排水処理効率を適切に高めることができる。
【００３３】
以上の説明では、ＢＯＤ、ＣＯＤ、ＳＳ、ノルヘキを指標値としているが、これ以外の項目を指標値としても良いことは勿論であり、その場合においても上記のテーブルを用意しそれを参照して制御すれば良い。
（排水処理方法）
上述した排水処理システムにおいては、以下のような排水処理方法が実現されている。すなわち、水質環境を示す指標値を計測する計測ステップと、上記計測ステップにおいて計測される指標値に基づいて制御テーブルを参照し、投入すべき微生物について少なくとも投入量を決定する投入微生物決定ステップとを含み、上記投入微生物決定ステップにおける決定内容に応じて微生物を投入する排水処理方法が実現されている。なお、上記微生物を投入した水槽について曝気処理を行う曝気ステップを更に含むのが望ましい。
【００３４】
そして、上記制御テーブルは、初期状態用テーブルと、定常状態用テーブルと、からなり、上記投入微生物決定ステップにおいてはシステム導入初期において上記初期状態用テーブルを参照する。
また、上記計測ステップにおいて計測される指標値がシステム導入直後に上昇した場合には、上記投入微生物決定ステップにおいてはシステム導入初期であると判断して上記初期状態用テーブルを参照する。なお、上記計測ステップにおいて計測される指標値がシステム導入直後に上昇しない場合には、上記投入微生物決定ステップにおいては上記定常状態用テーブルを参照する。
【００３５】
以上のような排水処理方法においては、計測される指標値に基づいて制御テーブルを参照し、投入すべき微生物について少なくとも投入量を決定し、この決定内容に応じて微生物を投入することにより、微生物を適切に投入することができ、排水浄化効率を高めることができる。また、微生物を投入した水槽について曝気処理を行うことにより、浄化効率をより高めることができる。そして、複数種類の制御用テーブルを用意しておき、それらを使い分けることで、排水処理効率をより高めることができる。そして、指標値の変化に応じて適切なテーブルを用いることで、排水処理効率を適切に高めることができる。
（排水処理用プログラム）
ところで、図２等に示されている動作を実現するためのプログラムを用意し、これによってコンピュータを制御すれば、上述と同様に排水処理動作を実行できることは明白である。このプログラムを記録するための記録媒体には、図１等に示されていない半導体メモリ、磁気ディスク、光ディスク等の他、種々の記録媒体を用いることができる。
【００３６】
この排水処理用プログラムは、コンピュータを制御して排水処理を行うための排水処理制御プログラムであり、水質環境を示す指標値を計測する計測ステップと、上記計測ステップにおいて計測される指標値に基づいて制御テーブルを参照し、投入すべき微生物について少なくとも投入量を決定する投入微生物決定ステップとを含み、上記投入微生物決定ステップにおける決定内容に応じて微生物を投入するようにしている。なお、上記微生物を投入した水槽について曝気処理を行う曝気ステップを更に含むのが望ましい。
【００３７】
そして、上記制御テーブルは、初期状態用テーブルと、定常状態用テーブルと、からなり、上記投入微生物決定ステップにおいてはシステム導入初期において上記初期状態用テーブルを参照する。
また、上記計測ステップにおいて計測される指標値がシステム導入直後に上昇した場合には、上記投入微生物決定ステップにおいてはシステム導入初期であると判断して上記初期状態用テーブルを参照する。なお、上記計測ステップにおいて計測される指標値がシステム導入直後に上昇しない場合には、上記投入微生物決定ステップにおいては上記定常状態用テーブルを参照する。
【００３８】
以上のように、水質環境を示す指標値を計測し、計測される指標値に基づいて制御テーブルを参照し、投入すべき微生物について少なくとも投入量を決定し、この決定内容に応じて微生物を投入するようにコンピュータを制御することにより、微生物を適切に投入することができ、排水浄化効率を高めることができる。また、微生物を投入した水槽について曝気処理を行うことにより、浄化効率をより高めることができる。そして、複数種類の制御用テーブルを用意しておき、それらをコンピュータが使い分けることで、排水処理効率をより高めることができる。さらに、指標値の変化に応じてコンピュータが適切なテーブルを参照することで、排水処理効率を適切に高めることができる。
【００３９】
ここで、微生物の投入に用いる制御テーブルは、作業者の経験に応じて順次更新することが望ましい。この場合、更新される最適なテーブルをインターネットのＷｅｂサイトに用意しておき、これをダウンロードして本システムに用いれば良い。この制御テーブルの更新は、定期的に行うことが望ましい。そして、テーブルの更新を行った場合には、その旨をユーザに電子メール等で通知しても良い。通知を受けたユーザは、最新の制御テーブルをダウンロードして更新することができるので、最新の制御テーブルを用いることによって排水浄化効率をより高めることができる。
【００４０】
【発明の効果】
以上説明したように本発明は、水質環境を示す指標値を計測し、計測される指標値に基づいて制御テーブルを参照し、投入すべき微生物について少なくとも投入量を決定し、この決定内容に応じて微生物を投入することにより、微生物を適切に投入することができ、排水浄化効率を高めることができるという効果がある。そして、微生物を投入した水槽について曝気処理を行うことにより、浄化効率をより高めることができるという効果がある。
【００４１】
また、複数種類の制御用テーブルを用意しておき、それらを使い分けることで、排水処理効率をより高めることができるという効果がある。さらに、システム導入直後における計測値の上昇等、指標値の変化に応じて適切なテーブルを用いることで、排水処理効率を適切に高めることができるという効果がある。
【図面の簡単な説明】
【図１】本発明による排水処理システムの実施の一形態を示す概略構成図である。
【図２】本発明による排水処理システムの排水処理動作を示すフローチャートである。
【図３】（ａ）はシステム導入開始直後の初期状態用テーブルを示す図、（ｂ）は定常状態用テーブルを示す図である。
【図４】発明者が本システムを適用して浄化を行った結果の一例を示す図であり、（ａ）は計測値、（ｂ）は計測値を折れ線グラフに表したものである。
【図５】従来の排水処理システムの一般的な構成例を示す概略図である。
【符号の説明】
１　原水槽
２　沈殿分離槽
３　接触酸化槽
４　中間槽
５　放流槽
３１　接触濾材
３２　曝気ブロア
３３　ポンプ
３４　制御装置
３５　バイオ液タンク
４１、５１　水質監視装置
【図１】
2004082041.tif 000003
【図２】
2004082041.tif 000004
【図３】
2004082041.tif 000005
【図４】
2004082041.tif 000006
【図５】
2004082041.tif 000007